(57)【特許請求の範囲】
【請求項１】
患者の顎運動の回転中心と前記回転中心の移動軌跡を測定できる顎運動測定装置として、
患者の顔左右側面にそれぞれ付着される一対の固定マーカーと、
前記固定マーカーとそれぞれ所定の間隔を置いて対向された状態で患者の下顎の動きに連動して移動可能に配置された一対の移動マーカーと、
前記移動マーカーと前記下顎を連結する連結手段と、
前記下顎の動きによる前記固定マーカーに対する前記移動マーカーの相対的な移動を撮影する複数のカメラと、
前記カメラと連結されて前記カメラからイメージ信号を受信し処理する制御手段とを含むことを特徴とする顎運動測定装置。
【請求項２】
前記固定マーカーに対する前記移動マーカーの相対的な移動を3次元で測定するために前記カメラは患者の顔両側にそれぞれ２台ずつ配置されていることを特徴とする請求項１に記載の顎運動測定装置。
【請求項３】
前記固定マーカーはプレート形状を有し、その縁には外部環境との区別のために特定色相の境界線が形成されていることを特徴とする請求項１に記載の顎運動測定装置。
【請求項４】
前記境界線上には前記固定マーカーの座標系の設定に必要なコーナーポイントを抽出するためのコーナーポイント抽出マーカーが形成され、前記コーナーポイント抽出マーカーは前記境界線とは異なる色相を有することを特徴とする請求項３に記載の顎運動測定装置。
【請求項５】
前記境界線内側の前記固定マーカーの表面には多数の四角形が縦横に配列されてチェック縞を形成しており、
前記コーナーポイントは前記四角形の角が合う点であることを特徴とする請求項４に記載の顎運動測定装置。
【請求項６】
前記移動マーカーは、前記固定マーカーより小さい面積のプレート形状を有し、その縁には外部環境との区別のために特定色相の境界線が形成されていることを特徴とする請求項１に記載の顎運動測定装置。
【請求項７】
前記移動マーカーは四角プレート形状を有し、
前記境界線内側の前記移動マーカー表面には多数の四角形が縦横に配列されてチェック縞を形成していることを特徴とする請求項６に記載の顎運動測定装置。
【請求項８】
前記移動マーカーの四つの角の付近には前記移動マーカーの座標系を設定するに必要なコーナーポイントを抽出するためにそれぞれ異なる色相を有するコーナーポイント抽出マーカーが形成されており、
前記コーナーポイント抽出マーカーは、前記チェック縞を成す四角形のうち、前記移動マーカーの四つの角の付近に位置した各一対ずつの四角形であることを特徴とする請求項７に記載の顎運動測定装置。
【請求項９】
前記連結手段は、
水平バーと、
一端が患者の下顎に固定され、他端は前記水平バーの中央部に回転可能に設けられた固定具と、
前記水平バーの両端に回転及び並進運動が可能に設けられた一対の移動フレームと、
一端が前記移動フレームに前記水平バーの長さ方向と垂直した方向に直線移動が可能になるように設けられており、他端には前記移動マーカーが結合された測定フレームとを含むことを特徴とする請求項１に記載の顎運動測定装置。
【請求項１０】
前記移動マーカーは前記測定フレームの他端に着脱可能に結合されたことを特徴とする請求項９に記載の顎運動測定装置。
【請求項１１】
前記測定フレームの他端には前記移動マーカーの代わりに、前記固定マーカーまたは患者の顔の上に顎運動の回転中心を表示するための表示針が選択的に結合されることを特徴とする請求項１０に記載の顎運動測定装置。
【請求項１２】
前記固定マーカーまたは患者の顔の上に顎運動回転中心を表示するための表示針をさらに含み、
前記表示針は前記移動マーカーの代わりに、前記連結手段に選択的に結合されることを特徴とする請求項１に記載の顎運動測定装置。
【請求項１３】
前記制御手段はパーソナルコンピューターであることを特徴とする請求項１に記載の顎運動測定装置。
【請求項１４】
患者の目の周囲の所定地点に付着され、顎運動の基準平面であるオービタルプレーンを定義する眼窩下点を測定するためのオービタルプレーンマーカーをさらに含むことを特徴とする請求項１に記載の顎運動測定装置。
【請求項１５】
前記オービタルプレーンマーカーは薄いプレート形状を有し、その縁には外部環境との区別のために特定色相の境界線が形成されていることを特徴とする請求項１４に記載の顎運動測定装置。
【請求項１６】
前記オービタルプレーンマーカーは四角プレート形状を有し、前記境界線内側の表面には四つの四角形が縦横に配列されてチェック縞を形成しており、
前記オービタルプレーンマーカーのコーナポイントは前記四つの四角形の角が合う点であることを特徴とする請求項１４に記載の顎運動測定装置。
【請求項１７】
患者の顔に付着された固定マーカーと、下顎の運動に連動し移動する移動マーカーをカメラで撮影してイメージデータを獲得する段階と、
獲得されたイメージデータをステレオビジョンプロセッシングして下顎の動きによる前記固定マーカーと前記移動マーカーの各コーナーポイントの座標を計算する段階と、
前記コーナーポイントの座標値を用いて固定マーカー座標系と移動マーカー座標系との座標変換行列を計算する段階と、
前記移動マーカーの移動前後の各コーナーポイントの座標を用いてヒンジ軸を計算する段階と、
前記ヒンジ軸と固定マーカーとの交点を顎運動の左右回転中心に定義する段階とを含むことを特徴とする顎運動測定方法。
【請求項１８】
患者の目の周囲に付着されたオービタルプレーンマーカーを前記カメラで撮影してイメージデータを獲得し、獲得されたイメージデータを用いて眼窩下点の座標を計算する段階と、
前記回転中心を絶対座標系に対して再定義する段階とをさらに含み、
前期再定義された左右回転中心と前記眼窩下点とを全て含む平面をオービタルプレーンで定義することを特徴とする請求項１７に記載の顎運動測定方法。
【請求項１９】
前記下顎が回転運動とともに並進運動をする場合に、
前記回転中心を前記移動マーカー上に常に固定された点で設定する段階と、
下顎が動く毎瞬間毎の前記固定マーカー座標系と前記移動マーカー座標系の座標変換行列を計算する段階と、
前記移動マーカー座標系に対して定義された回転中心の座標を前記固定マーカー座標系に対する値に変換する段階とをさらに含み、
前記オービタルプレーンを基準に前記回転中心の運動軌跡を測定することを特徴とする請求項１８に記載の顎運動測定方法。
【請求項２０】
前記ヒンジ軸を計算する段階は、
前記移動マーカーの移動前後のコーナーポイントの３次元座標を前記固定マーカー座標系に対する値に変換し、
前記変換された座標値から前記ヒンジ軸の位置ベクトルと方向ベクトルを計算し、前記固定マーカー座標系に対するヒンジ軸の直線の方程式を求めることからなることを特徴とする請求項１７に記載の顎運動測定方法。
【発明の詳細な説明】
【技術分野】
【０００１】
本発明は咬合の診断と治療のために顎運動を測定する装置および方法に関わり、さらに詳細には測定が短くて測定の反復精密度が良好な自動化された顎運動測定装置および方法に関するものである。
【背景技術】
【０００２】
顎運動の解釈は、咬合の再構成と、顎及び口腔系統の歯科治療と、義歯製作等とにおいて基本となる重要な要素である。従来には顎運動を測定し、これを再現し解釈するための装置として受動式測定装置が広く使用された。しかし、既存の受動式測定装置の場合、測定時間が多くかかるので測定対象である患者と作業者である医師の苦痛が極めて大きかったばかりでなく、測定の反復精密度をも信頼できなかった。また、このような受動式測定装備の場合には現在活発に進行中であるＣＡＤ技術を用いた咬合診断及び治療に必要なデータを算出し難いところがある。
【０００３】
このような理由のために自動化された測定装置の必要性が大きく増大しつつあるので、近来には自動化測定装置を開発するための試みが進んでおり、その結果色々な自動化測定装置が商品化されている。このような測定措置には回転感知センサー、磁気感知センサー、カメラ、または赤外線センサーを用いるもの等がある。これらのうち、高性能の磁気感知センサーを用いたモデルが比較的成功的であるが、既存の受動式測定装置に比べて相当高価であり、義歯の製作等において重要なオービタルプレーン (orbital plane)を定義することに問題がある。
【０００４】
一方、カメラを用いた測定は今まで商業化されたものはないものの、多くの研究が進みつつある。このような測定装置は大部分マーカーを用いたステレオビジョンプロセッシング (Stereo Vision Processing)技術を用いている（例えば、特許文献１及び２参照）。
【特許文献１】米国特許第４、８３６、７７８号公報
【特許文献２】米国特許第５、３４０、３９０号公報      しかし、前記した米国特許公報に開示された測定においては実際的な咬合の診断及び治療のための考慮が乏しいので、その実用性に限界があった。
【０００５】
特に、近来にはＣＡＤ技術を用いて患者の義歯をデザインし、その咬合性能を検証する咬合シミュレーションシステムが活発に研究されており、このような咬合シミュレーションシステムにおいては顎運動の測定が必須的であるので、安価であり、かつ自動化された顎運動測定装置の開発が求められている。
【発明の開示】
【発明が解決しようとする課題】
【０００６】
本発明は前記のような問題点を解決するために開発されたものとして、本発明の目的は測定時間が短くて、測定の反復精密度が良好し、かつＣＡＤ技術を用いた咬合シミュレーションシステムに適用可能な顎運動測定装置を提供することである。
【０００７】
ともに、本発明のもう一つの目的は顎運動回転中心の直接的な表示が可能であるので、従来の咬合器と石膏本による咬合診断及び治療にも適用可能な顎運動測定装置を提供することにある。
【課題を解決するための手段】
【０００８】
前記のような本発明の目的は、患者の顎運動の回転中心と前記回転中心の移動軌跡を測定できる顎運動測定装置として、患者の顔左右側面にそれぞれ付着される一対の固定マーカーと、前記固定マーカーとそれぞれ所定の間隔を置いて対向された状態で患者の下顎の動きに連動して移動可能に配置された一対の移動マーカーと、前記移動マーカーと前記下顎を連結する連結手段と、前記下顎の動きによる前記固定マーカーに対する前記移動マーカーの相対的な移動を撮影する複数のカメラと、前記カメラと連結されて前記カメラからイメージ信号を受信し処理するパーソナルコンピューターとを含む顎運動測定装置を提供することにより達成することが出来る。
【０００９】
前記カメラは、前記固定マーカーに対する前記移動マーカーの相対的な移動を３次元で測定できるように患者の顔の両側にそれぞれ２台ずつ配置されているのが好ましい。
【００１０】
前記固定マーカーはプレート形状を有し、その縁には外部環境との区別のために特定色相の境界線が形成されている。前記境界線上には前記固定マーカーの座標系の設定に必要なコーナーポイントを抽出するためのコーナーポイント抽出マーカーが形成され、前記コーナーポイント抽出マーカーは前記境界線とは異なる色相を有する。前記境界線内側の前記固定マーカーの表面には多数の四角形が縦横に配列されてチェック縞を形成しており、前記コーナーポイントは前記四角形の角が合う点である。
【００１１】
前記移動マーカーは、前記固定マーカーより小さい面積の四角プレート形状を有し、その縁には外部環境との区別のために特定色相の境界線が形成されている。前記境界線内側の前記移動マーカー表面にはその移動に関するデータで用いるコーナーポイントが得られるように多数の四角形が縦横に配列されてチェック縞を形成する。そして、前記移動マーカーのコーナーポイントを抽出するためにそれぞれ異なる色相を有するコーナーポイント抽出マーカーが形成されている。前記移動マーカーにおける前記コーナーポイント抽出マーカーは、前記チェック縞を成す四角形のうち、前記移動マーカーの四つの角の付近に位置した各一対ずつの四角形である。
【００１２】
また、前記連結手段は、 水平バーと、一端は患者の下顎に固定され、他端は水平バーの中央部に回転可能に設けられた固定具と、前記水平バーの両端に回転及び並進運動可能に設けられた一対の移動フレームと、一端が前記移動フレームに前記水平バーの長さ方向と垂直した方向に直線移動が可能になるように設けられており、他端には前記移動マーカーが結合された測定フレームとからなる。前期移動マーカーは前記測定フレームの他端に着脱可能に結合される。
【００１３】
一方、前記測定フレームの他端には前記移動マーカーの代わりに、前記固定マーカーまたは患者の顔の上に顎運動の回転中心を表示するための表示針が選択的に結合されることが出来る。
【００１４】
また、本発明による顎運動測定装置は、顎運動の基準平面であるオービタルプレーンの定義のための眼窩下点(目の下の点)を測定するために、患者の目の周囲の所定地点に付着されるオービタルプレーンマーカーをさらに含む。
【００１５】
前記オービタルプレーンマーカーは薄い四角プレート形状を有し、その縁には外部環境との区別のために特定色相の境界線が形成されている。そして、前記オービタルプレーンの前記境界線内側表面には四つの四角形が縦横に配列されてチェック縞を形成しており、前記オービタルプレーンマーカーでのコーナポイントは前記四つの四角形の角が合う点である。
【００１６】
一方、本発明は、患者の顔に付着された固定マーカーと、下顎の運動に連動し移動する移動マーカーをカメラで撮影してイメージデータを獲得し、獲得されたイメージデータをステレオビジョンプロセッシングして下顎の動きによる前記固定マーカーと前記移動マーカーの各コーナーポイントの座標を計算し、前記コーナーポイントの座標値を用いて固定マーカー座標系と移動マーカー座標系の変換行列を計算し、前記移動マーカーの移動前後の各コーナーポイントの座標を用いてヒンジ軸を計算し、前記ヒンジ軸と固定マーカーとの交点を顎運動の左右回転中心に定義する顎運動測定方法を提供する。
【００１７】
具体的に、前記ヒンジ軸の計算は、前記移動マーカーの移動前後のコーナーポイントの３次元座標を前記固定マーカー座標系に対する値に変換し、前記変換された座標値から前記ヒンジ軸の位置ベクトルと方向ベクトルを計算し、前記固定マーカー座標系に対するヒンジ軸の直線の方程式を求めることからなる。
【００１８】
また、本発明による顎運動測定方法においては、患者の目の周囲に付着されたオービタルプレーンマーカーを前記カメラで撮影してイメージデータを獲得し、獲得されたイメージデータを用いて眼窩下点の座標を計算し、以上で定義された回転中心を絶対座標系に対して再定義し、再定義された左右回転中心と前記眼窩下点を全て含む平面をオービタルプレーンで定義することが出来る。
【００１９】
なお、本発明による顎運動測定装置においては、前記下顎が回転運動とともに並進運動をする場合には、前記回転中心を前記移動マーカー上に常に固定された点で設定し、下顎が動く毎瞬間毎の前記固定マーカー座標系と前記移動マーカー座標系の座標変換行列を計算し、前記移動マーカー座標系に対して定義された回転中心の座標を前記固定マーカー座標系に対する値に変換し、前記オービタルプレーンを基準に前記回転中心の運動軌跡を測定することも出来る。
【発明の効果】
【００２０】
本発明によると、従来の受動式測定装置に比べて顎運動の測定時間が短縮されて患者が感じる苦痛を減らすことが出来、なお、測定の反復精密度が高まる。
【００２１】
また、安価のパーソナルコンピューター用カメラを用いて顎運動を測定することが出来るので、赤外線センサー等を用いる従来の自動化測定装置に比べて費用節減の効果が大きい。
【００２２】
かつ、本発明によると、オービタルプレーンを容易に定義することが出来るので、ＣＡＤ技術を用いた咬合シミュレーションに適用が可能である。さらに、本発明は表示針を用いて患者の顔に直接的に顎運動回転中心を表示することが可能であるので、従来の受動式測定装置で提供された顎運動回転中心の直接的な表示が可能であるので、既存の咬合器や石膏本による咬合の診断及び治療にも適用が可能である。
【発明を実施するための最良の形態】
【００２３】
以下、添付された図面を参照しながら本発明の好ましい実施例を詳細に説明する。
【００２４】
図１は、本発明による顎運動測定装置の概略的な構成図である。
【００２５】
図１に示されたように、顎運動測定装置は患者の顔左右側面にそれぞれ付着される一対の固定マーカー１０、１０’と、この固定マーカー１０、１０’とそれぞれ所定間隔を置いて対向された状態で患者の下顎の動きに連動して移動可能に配置された二つの移動マーカー２０、２０’と、患者の顔左右両側に一対ずつ配置されて固定マーカー１０、１０’に対する移動マーカー２０、２０’の相対的な移動を撮影する４台のカメラ３０と、カメラ３０と連結されてカメラ３０からイメージ信号を受信し処理するパーソナルコンピューター４０を備える。
【００２６】
移動マーカー２０、２０’は患者の下顎に固定される固定具５１に水平バー５３と、移動フレーム５５と、測定フレーム５７とを介して連結されることにより、下顎の動きに連動して動くことになる。
【００２７】
固定具５１の一端は患者の下顎に固定され、その他端は水平バー５３の中央部に水平バー５３の長さ方向に対して並進運動及び回転運動が可能に設けられている。また、移動フレーム５５は水平バー５３の両端に並進運動及び回転運動が可能に設けられている。一方、移動マーカー２０、２０’は測定フレーム５７の一端に着脱可能に設けられている。測定フレーム５７の他端は水平バー５３の長さ方向と垂直した方向に並進運動が出来るように移動フレーム５５に設けられている。
【００２８】
患者の頭蓋骨の大きさに合わせて固定具５１と移動フレーム５５を水平バー５３上で回転または直線移動させ、測定フレーム５７を移動フレーム５５上で直線移動させることにより 移動マーカー２０、２０’の位置をカメラ３０の視界内で固定マーカー１０、１０’の内部に入って来るように調節することが出来る。
【００２９】
一方、図１における参照符号１００は３次元絶対座標系を示し、参照符号１１０、１２０、１３０、及び１４０は４台のカメラ３０それぞれの３次元位置座標系を示す。また、参照符号１５０及び１７０は一対の固定マーカー１０、１０’の地域座標系を示し、参照符号１６０及び１８０は一対の移動マーカー２０、２０’の地域座標系を示す。
【００３０】
図２は、本発明による測定装置の側面図として、患者の顔に測定装置を付着した例を示したものである。
【００３１】
図２に示されたように、固定マーカー１０、１０’は使用者の顔両側面でカメラ３０の視界内でありながら、顎の回転中心が表れる確率が高い所に付着される。図２において、参照符号６０はオービタルプレーンマーカー(Orbital Plane Marker)を示す。オービタルプレーンマーカー６０は固定マーカー１０とともにカメラ３０の視界内に入って来る患者の目の周囲の特定地点、例えば、眼窩下点のような地点に付着される。オービタルプレーンマーカー６０は後術するように顎の回転中心とともにオービタルプレーン (Orbital Plane )を定義するためのものとして、患者の顔の左右側面のうち、いずれか一つの面にのみ付着すれば十分である。
【００３２】
一方、ステレオビジョンプロセッシング(Stereo Vision Processing)のために、患者の顔左右にはそれぞれ２台ずつ総４台のカメラ３０が固定マーカー１０、１０’と、移動マーカー２０、２０’と、オービタルプレーンマーカー６０をフォーカシングするように設けられている。カメラ３０ではパーソナルコンピューター用で多く用いられるＣＣＤ(Charge Control Device)カメラまたは ＣＭＯＳ(Complementary Metal-Oxide Semiconductor)カメラを用いるのが好ましいが、赤外線カメラ等を使用することもできるであろう。
【００３３】
図３は、固定マーカー１０、１０’の正面、即ち、カメラ３０と対向する面を示した図面である。 固定マーカー１０、１０’は、移動マーカー２０、２０’の空間上の相対座標系である１６０と１８０(図1参照)を計算するための基準になる座標系１５０と１７０を設定するためである。
【００３４】
図３に示されたように、固定マーカー１０は四角プレートの形状を有する。固定マーカー１０の縁には特定色相(例えば、青色)と一定の幅を有する境界線１１が形成されている。この境界線１１は固定マーカー１０の外部と内部を区分するためのものとして、具体的にカメラ３０で獲得したイメージ信号で固定マーカー１０の内部から獲得されたイメージ信号以外の不必要な信号を除去するための境界役割をするものである
固定マーカー１０の境界線１１内側表面には、固定マーカー座標系１５０、１７０（図1）を精密に設定できるように、白色と黒色の四角形が交代に配列されたチェック縞が形成されている。即ち、このような四角形の角が合う点（以下、これを“コーナーポイント”(corner point)と呼ぶ）の座標値を用いて固定マーカー座標系１５０、１７０を設定することが出来る。
【００３５】
一方、境界線１１の上には固定マーカー１０の任意の三つの角に隣接して各二つずつ三対のコーナーポイント抽出用マーカー１２、１３、１４が形成されている。これらのコーナーポイント抽出用マーカー１２、１３、１４は基準コーナーポイント １６を抽出するためのものとして、それぞれ境界線１１とは異なる三つの特定色相（例えば、赤色、緑色、黄色）を有することにより、互いに区分できるようになっている。基準コーナーポイント１６は固定マーカー１０の全てのコーナーポイントを算出するに必要な基準点として、図３に示されたようにコーナーポイント抽出マーカー１２、１３、１４に近接した三つの点である。即ち、基準コーナーポイント１６が知られると、それに基づいて全てのコーナーポイントが抽出されることが出来るし、それにより固定マーカー座標系１５０、１７０を設定することが出来る。
【００３６】
図４は、移動マーカー２０、２０’の正面、即ち、カメラ３０と対向する面を示した図面である。
【００３７】
図４に示されたように、移動マーカー２０は固定マーカー１０より小さい表面積を有する四角プレートの形状を有する。移動マーカー２０の縁には互いに異なる色相（例えば、赤色と黒色）を有する外部境界線２１と内部境界線２２が相互隣接し形成されている。外部境界線２１及び内部境界線２２内側の移動マーカー２０の表面には移動マーカー座標系１６０、１８０（図1）を設定するための基準点でありながら、固定マーカー１０の移動に関するデータとも用いられるコーナーポイントが得られるように、多数の四角形が縦横に配列されてチェック縞を成している。外部境界線２１及び内部境界線２２は移動マーカー２０内部のチェック縞部分とその以外の部分を分離してチェック縞部分から獲得されたイメージ信号からチェック縞以外の部分を除去するための境界役割をする。
【００３８】
移動マーカー２０内部のチェック縞を成す四角形のうち、移動マーカーの四つの角の付近に位置したそれぞれ二つずつの四角形は、移動マーカー２０のコーナーポイント抽出マーカー２３、２４、２５、２６となる。コーナーポイント抽出マーカー２３、２４、２５、２６はこの移動マーカー２０のコーナーポイントを抽出するための四つの基準コーナーポイント２８を探すのに利用する標識の役割をするものとして、外部境界線２１および内部境界線２２とはそれぞれ異なる四つの特定色相（例えば、赤色、緑色、青色、黄色）からなり、互いに区分できるようになっている。基準コーナーポイント２８はコーナーポイント抽出マーカー２３、２４、２５、２６を成す一対の四角形の角が合う点、即ち、移動マーカー２０の角付近でチェック縞を成す四つの四角形が合う点である。
【００３９】
一方、チェック縞を成す四角形のうち、コーナーポイント抽出マーカー２３、２４、２５、２６を形成する四角形を除外した残りの四角形は互いに異なる二つの色相（例えば、白色、黒色）が縦横に交代に配列された形態からなる。移動マーカー２０のコーナーポイントはこれらの四角形の角が合う点である。
【００４０】
図５は、オービタルプレーンマーカーの正面、即ち、カメラ３０と対向する面を示した図面である。
【００４１】
図５に示されたように、オービタルプレーンマーカー６０は移動マーカー２０より小さい表面積を有する四角プレートの形状を有する。オービタルプレーンマーカー６０の縁には特定色相(例えば、青色)を有する境界線６１が形成されている。境界線６１内側のオービタルプレーンマーカー６０の内部には二つの色相（例えば、白色と赤色）を有する四つの四角形がチェック縞を成すように配列されている。境界線６１はオービタルプレーンマーカー６０内部のチェック縞部分とその以外の部分を分離してチェック縞部分で獲得されたイメージ信号でチェック縞以外の部分を除去するための境界役割をする。
【００４２】
チェック縞を成す四つの四角形のうち、斜線方向に配列された二つの四角形はオービタルプレーンマーカー６０のコーナーポイント抽出マーカー６２となる。コーナーポイント抽出マーカー６２は直接的に眼窩下点のように顔の特定点になるコーナーポイントを抽出するための標識役割をして境界線６１及び残り二つの四角形とは異なる色相からなっている。オービタルプレーンマーカー６０でのコーナーポイント（Ｐ）はチェック縞を成す四つの四角形の角が一つの点で合う点である。
【００４３】
一方、本実施例においてはオービタルプレーンマーカー６０を用いて眼窩下点を測定してオービタルプレーンを定義する方式について説明したが、オービタルプレーンマーカー６０を用いる代わりに目尻等、目の周囲の特定部分を直接カメラ３０を介して認識し、その点を眼窩下点に設定してオービタルプレーンを定義することも可能であるであろう。
【００４４】
以下、以上のように構成された顎運動測定装置により患者の顎運動を測定することにより、顎運動時の回転中心を探し、オービタルプレーン (Orbital Plane )を定義する方法について説明する。
【００４５】
本発明による顎運動測定装置において、固定具５１、水平バー５３、移動フレーム５５、移動マーカー２０、２０’が設置された測定フレーム５７は、互いに連結された一つの剛体(rigid body)と見ることが出来、これらの構成要素は患者の下顎の動きに連動して一緒に動くようになる。従って、患者の下顎が動くと移動マーカー２０、２０’が連動して動くことにより、移動マーカー２０、２０’と患者の顔に付着された固定マーカー１０の間に相対運動が起こることになる。このような相対運動は 固定マーカー１０、１０’のコーナーポイントに対する移動マーカー２０、２０’のコーナーポイントの動きを4台のカメラ３０で撮影し、パーソナルコンピューター４０でステレオビジョンプロセッシング(Stereo Vision Processing)をすることにより測定することが出来る。
【００４６】
図６は、下顎の動きが大きくないので純粋な回転運動だけが起こる場合の顎運動測定装置を示した順序図である。図６に図示された測定方法においては、絶対座標系１００に対して定義された左右の固定マーカー１０、１０’の上で顎運動回転中心の位置を定義し、絶対座標系１００に対してオービタルプレーンを設定することを目標とする。下顎の動きが大きくない場合、純粋な回転運動だけが観察され、このような場合、顎運動の測定は次のような過程を通じて成される。
【００４７】
まず、4台のカメラ３０を通して、下顎が動いている間の固定マーカー１０、１０’と、移動マーカー２０、２０’と、オービタルプレーンマーカー６０とのイメージデータを獲得し（Ｓ１１）、獲得されたイメージデータを用いてパーソナルコンピューター４０でステレオビジョンプロセッシングをしてマーカー１０、１０’、２０、２０’、６０それぞれのコーナーポイントの３次元座標を計算する（Ｓ１２）。コーナーポイントの３次元座標は左右各一対のカメラ３０のうち、基準になるカメラ、例えば、図1において、左右下側に配置された２台のカメラの位置座標系１１０、１４０に対してそれぞれ定義される。
【００４８】
次に、固定マーカー１０、１０’と、移動マーカー２０、２０’それぞれのコーナーポイントの３次元座標を用いて、パーソナルコンピューター４０で固定マーカー座標系１５０、１７０と、移動マーカー座標系１６０、１８０の座標変換行列を計算する（Ｓ１３）。即ち、図１において、左側に配置された固定マーカー１０と移動マーカー２０の場合には、図7に図示されたように、左側下段のカメラの位置座標系１１０に対して固定マーカー座標系１５０と移動マーカー座標系１６０がどれ程回転及び移動されたかが分るように座標変換行列を計算できる。
【００４９】
以後、移動マーカー２０、２０’の移動前後のコーナーポイントの３次元座標を用いて移動マーカー２０、２０’の移動に対するヒンジ軸を算出する（Ｓ１４）。そして、このように算出されたヒンジ軸から下顎の左右回転中心を算出する（Ｓ１５）。
【００５０】
Ｓ１４及びＳ１５段階において回転中心を算出する方法をさらに具体的に説明すると次の通りである。上述したように、固定マーカー１０、１０’のコーナーポイントの３次元座標を用いて固定マーカー座標系１５０、１７０を設定することが出来る。この際に、図８に示されたように、各固定マーカー座標系１５０、１７０は絶対座標系１００に対して定義される。このような各固定マーカー座標系１５０、１７０を基準に下顎の回転中心を求めることが出来る。まず、 移動マーカー２０、２０’の移動前後のコーナーポイントの３次元座標を用いて固定マーカー座標系１５０、１７０に対する値に変換する。そして、螺旋原理(Screw Theory)を用いて変換された座標値からヒンジ軸（Ｈ）の位置ベクトルと方向ベクトルを計算する。このようにヒンジ軸（Ｈ）の位置ベクトルと方向ベクトルが求められると、固定マーカー座標系１５０、１７０に対するヒンジ軸（Ｈ）の直線方程式を求めることが出来る。次に固定マーカー座標系１５０、１７０のｘ−ｙ平面、即ち、固定マーカー１０、１０’の表面とヒンジ軸（Ｈ）の直線方程式の交点を求めると、その点がすぐ下顎の回転中心（Ｃ１，Ｃ２）となる。
【００５１】
前記Ｓ１５段階から得られた下顎の回転中心（Ｃ１，Ｃ２）はそれぞれ固定マーカー座標系１５０、１７０に対して定義されたものである。Ｓ１５段階以後、下顎の回転中心を絶対座標系(100)に対して再定義する（Ｓ１６）。 次に、このように絶対座標系１００に対する下顎の左右回転中心（Ｃ１，Ｃ２）と、オービタルプレーンマーカー６０から測定された眼窩下点のような顔の特定部位を示す点を用いてコーナーポイントを定義する（Ｓ１７）。 即ち、図９に図示されたように、オービタルプレーンは下顎の左右回転中心（Ｃ１，Ｃ２）と眼窩下点（Ｐ）が一緒に位置した平面で定義される。図９で図面符号190はオービタルプレーンの地域座標系を示す。
【００５２】
一方、下顎の動きが大きい場合、回転運動だけでなく、並進運動をも起こり、このような動きを表現するためには回転中心だけでなく、回転中心の移動軌跡を測定しなければならない。
【００５３】
本発明では、回転運動の軌跡を測定するために、図6に図示された測定方法を通じて得られた固定マーカー座標系１５０、１７０に対して定義された回転中心（Ｃ１，Ｃ２）を用いてこれを移動マーカー座標系１６０、１８０に対して再定義する。即ち、図６においての測定方法を通じて得られた下顎の回転中心（Ｃ１，Ｃ２）を移動マーカー座標系１６０、１８０に常に固定された点で設定すると、回転中心（Ｃ１，Ｃ２）の座標は下顎の動きに連動し移動する移動マーカー座標系１６０、１８０に対しては常に一定で、固定マーカー座標系１５０、１７０に対しては下顎の動きにより変わり続くことになる。下顎が動く毎瞬間毎の固定マーカー座標系１５０、１７０と移動マーカー座標系１６０、１８０に対する座標変換行列は計算が可能である。従って、移動マーカー座標系１６０、１８０に対して定義された回転中心の座標値を固定マーカー座標系１５０、１７０に対する座標値に変換すると、固定マーカー座標系１５０、１７０に対する回転中心（Ｃ１，Ｃ２）の運動軌跡を測定出来る。
【００５４】
また、固定マーカー座標系１５０、１７０はオービタルプレーン座標系１９０の座標変換関係を分るので、固定マーカー座標系１５０、１７０に対する運動軌跡をオービタルプレーン座標系１９０に対する運動軌跡に変換することも出来る。即ち、図６で定義されたオービタルプレーンを基準に回転中心（Ｃ１，Ｃ２）の運動軌跡が測定出来ることである。
【００５５】
図１０は、患者の下顎の動きが大きくて回転運動だけでなく並進運動をも一緒に示される場合の顎運動測定装置を示した順序図である。
【００５６】
まず、4台のカメラ３０を通して固定マーカー１０、１０’と、移動マーカー２０、２０’との下顎が動く毎瞬間毎のイメージデータを獲得し（Ｓ２１），獲得されたイメージデータを用いてパーソナルコンピューター４０でステレオビジョンプロセッシングをして固定マーカー１０、１０’及び、移動マーカー２０、２０’それぞれのコーナーポイントの３次元座標を計算する（Ｓ２２）。次に、各コーナーポイントの３次元座標から固定マーカー１０、１０’と移動マーカー２０、２０’の座標変換行列を計算する（Ｓ２３）。
【００５７】
Ｓ２３段階で計算された座標変換行列を用いて図６においての方法から得られた回転中心（Ｃ１，Ｃ２）の移動マーカー座標系１６０、１８０に対する移動マーカー座標系１５０、１７０に対する座標値に変換する（Ｓ２４）。このように変換された回転中心は顎の動きにより固定マーカー１０、１０’の上でその座標が変化し続くことであるので、以下ではこれを“仮想回転中心”と称する。
【００５８】
終りに、顎の動く毎瞬間毎の仮想回転中心をパーソナルコンピューター４０に貯蔵し（Ｓ２５）、貯蔵された内容をパーソナルコンピューター４０のモニタを通してグラフで出力することにより、仮想回転中心の移動軌跡を示すことが出来る。
【００５９】
一方、図６及び図１０に図示された測定方法を通して測定された顎運動回転中心及び回転中心の移動軌跡は固定マーカー１０、１０’と患者の顔の両側面に表示されなければならないが、このような表示方法が図１１Ａ及び図１１Ｂに図示されている。
【００６０】
図１１Ａに図示されたように、移動マーカー２０、２０’は測定フレーム５７の先端に着脱可能に装着されている。従って、移動マーカー２０、２０’を用いて顎運動の回転中心を求めた後に、移動マーカー２０、２０’を測定フレーム５７の先端から分離する。次に、図１１Ｂに図示されたように、移動マーカー２０、２０’が分離された測定フレーム５７の先端には表示針８０を装着する。表示針８０の先端にはインクのような有色液体が付いており、固定マーカー１０、１０’上に回転中心（Ｃ１，Ｃ２）の位置を表示することが出来る。
【００６１】
表示針８０の位置はカメラ３０を通してカメラ３０のモニタから確かめられる。従って、使用者はカメラ３０のモニタを見ながら、移動フレーム５５と、測定フレーム５７を回転運動または並進運動させることにより、表示針８０の位置を調節しながら、固定マーカー１０、１０’上に顎運動回転中心（Ｃ１，Ｃ２）の位置を表示する。
【００６２】
一方、固定マーカー１０、１０’の代わりに患者の顔に直接的に顎運動回転中心（Ｃ１，Ｃ２）を表示しようとする場合には、患者の顔から固定マーカー１０、１０’を取り除いた後、表示針８０を患者の顔の方に移動させて表示針８０の先端が直接患者の顔に接触するようにして回転中心を表示すればよい。
【００６３】
以上では本発明の特定の好ましい実施例について図示し、また説明した。しかし、本発明は上述した実施例に限定されず、特許請求の範囲内で請求する本発明の要旨を外れることなく、当該発明の属する技術分野において通常の知識を有するものであれば、だれでも多様な変形実施が可能であろう。
【図面の簡単な説明】
【００６４】
【図１】本発明による顎運動測定装置の概略的な構成図である。
【図２】図1の測定装置の側面図である。
【図３】図1の測定装置の固定マーカーの正面図である。
【図４】図１の 測定装置の移動マーカーの正面図である。
【図５】図１の 測定装置のオービタルプレーンマーカーの正面図である。
【図６】患者の下顎動きが大きくないので純粋な回転運動だけが示される場合の顎運動測定装置を示した順序図である。
【図７】カメラ座標系に対する固定マーカー座標系と移動マーカー座標系の回転と移動を示した図面である。
【図８】絶対座標系と固定マーカー座標系の関係を示した図面である。
【図９】絶対座標系に対して定義されたオービタルプレーンを示した図面である。
【図１０】患者の下顎動きが大きくて回転運動だけでなく並進運動も一緒に表れる場合の顎運動測定装置を示した順序図である。
【図１１Ａ】図1の測定装置で固定マーカーを分離する状態を示した斜視図である。
【図１１Ｂ】固定マーカーが分離された図1の測定装置に表示針を設けた状態を示した斜視図である。
【符号の説明】
【００６５】
１０、１０’   固定マーカー
２０、２０’   移動マーカー
３０   カメラ
４０   パーソナルコンピューター
５１   固定具
５３   水平バー
５５   移動フレーム
５７   測定フレーム
６０   オービタルプレーン マーカー
８０   表示針
１００   絶対座標系
１５０、１７０   固定マーカー座標系
１６０、１８０   移動マーカー座標系
【図１】
0003713266.tif 000002
【図２】
0003713266.tif 000003
【図３】
0003713266.tif 000004
【図４】
0003713266.tif 000005
【図５】
0003713266.tif 000006
【図６】
0003713266.tif 000007
【図７】
0003713266.tif 000008
【図８】
0003713266.tif 000009
【図９】
0003713266.tif 000010
【図１０】
0003713266.tif 000011
【図１１Ａ】
0003713266.tif 000012
【図１１Ｂ】
0003713266.tif 000013